(57)【要約】【課題】字幕ファイル機能の利便性が向上する光ディスク再生装置を提供する。【解決手段】制御部２は、まず、動画ファイルが格納されたＤＶＤ上のディレクトリ内の本体部が動画ファイルのファイル名の本体部と同一である字幕ファイルを検索し、もしファイルが検索されなければ、制御部２は、ＤＶＤおよびＵＳＢメモリに記録された拡張子が字幕ファイル用拡張子であるファイル名をもつファイルを検索し、検索されたファイルのファイル名を画像処理部３を介して表示装置に表示させ、ファイル名がリモコン操作により選択されると、選択されたファイル名のファイルおよび動画ファイルに基づき字幕付きの動画再生がされる。【選択図】図１
2007310953.tif 000002
【特許請求の範囲】
【請求項１】
動画ファイルが格納された光ディスク上のディレクトリ内で、本体部が前記動画ファイルのファイル名の本体部と同一であるファイル名をもつ字幕ファイルを検索し、もし該字幕ファイルが検索された場合、該字幕ファイルおよび前記動画ファイルに基づき字幕付き動画再生を行うような光ディスク再生装置において、
もし前記字幕ファイルが検索されなかった場合、前記光ディスクと少なくとも一つの外部記憶手段とのうち少なくとも一つにおいて、拡張子が字幕ファイル用拡張子であるファイル名をもつファイルを検索する検索手段と、
前記検索手段が検索したファイルのファイル名を表示手段に表示させるための信号を生成する信号生成手段と、
前記表示手段に表示されたファイル名のうち操作手段により選択されたファイル名のファイルおよび前記動画ファイルに基づき字幕付き動画再生を行う再生手段と、を備え、
設定手段により設定された設定情報に基づき前記検索手段は検索したりしなかったりする、
ことを特徴とする光ディスク再生装置。
【請求項２】
動画ファイルが格納された光ディスク上のディレクトリ内で、本体部が前記動画ファイルのファイル名の本体部と同一であるファイル名をもつ字幕ファイルを検索し、もし該字幕ファイルが検索された場合、該字幕ファイルおよび前記動画ファイルに基づき字幕付き動画再生を行うような光ディスク再生装置において、
もし前記字幕ファイルが検索されなかった場合、前記光ディスクと少なくとも一つの外部記憶手段とのうち少なくとも一つにおける拡張子が字幕ファイル用拡張子であるファイル名をもつファイルの検索を開始し、該検索途中で最初にファイルを検索すると検索を中止する検索手段と、
該検索手段が検索した前記ファイルおよび前記動画ファイルに基づき字幕付き動画再生を行う再生手段と、を備え、
設定手段により設定された設定情報に基づき前記検索手段は検索したりしなかったりする、
ことを特徴とする光ディスク再生装置。
【請求項３】
動画ファイルが格納された光ディスク上のディレクトリ内で、本体部が前記動画ファイルのファイル名の本体部と同一であるファイル名をもつ字幕ファイルを検索し、もし該字幕ファイルが検索された場合、該字幕ファイルおよび前記動画ファイルに基づき字幕付き動画再生を行うような光ディスク再生装置において、
もし前記字幕ファイルが検索されなかった場合、前記光ディスクと少なくとも一つの外部記憶手段とのうち少なくとも一つにおいて、拡張子が字幕ファイル用拡張子であるファイル名をもつファイルを検索する検索手段と、
該検索手段が検索したファイルの少なくとも一つおよび前記動画ファイルに基づき字幕付き動画再生を行う再生手段と、
を備えることを特徴とする光ディスク再生装置。
【請求項４】
前記検索手段が検索したファイルのファイル名を表示手段に表示させるための信号を生成する信号生成手段を備え、
前記表示手段に表示されたファイル名のうち操作手段により選択されたファイル名のファイルおよび前記動画ファイルに基づき前記再生手段は字幕付き動画再生を行う、
ことを特徴とする請求項３に記載の光ディスク再生装置。
【請求項５】
前記検索手段は、もし前記字幕ファイルが検索されなかった場合、前記光ディスクと前記少なくとも一つの外部記憶手段とのうち少なくとも一つにおける拡張子が字幕ファイル用拡張子であるファイル名をもつファイルの検索を開始し、該検索途中で最初にファイルを検索すると検索を中止し、
前記再生手段は、前記検索手段が検索した前記ファイルおよび前記動画ファイルに基づき字幕付き動画再生を行う、
ことを特徴とする請求項３に記載の光ディスク再生装置。
【請求項６】
設定手段により設定された設定情報に基づき、前記検索手段は検索したりしなかったりすることを特徴とする請求項３に記載の光ディスク再生装置。
【発明の詳細な説明】
【技術分野】
【０００１】
本発明は、光ディスク再生装置に関する。
【背景技術】
【０００２】
従来から、動画ファイルおよび字幕ファイルが記録されたＤＶＤを字幕付きで動画再生させることができるＤＶＤプレーヤが開発されている（なお、字幕再生についての技術は、例えば下記特許文献１、２に記載されている）。昨今、ユーザはインターネットから世界において主要でない言語も含む多様な言語に対応する字幕ファイルをダウンロードして手に入れることができ、ダウンロードした字幕ファイルを動画ファイルと共にＤＶＤに記録すれば、上記ＤＶＤプレーヤによりユーザは母国語の字幕付きの動画を鑑賞することができる。
【特許文献１】特開２００３−１８４９１号公報
【特許文献２】特開２００５−２１７８１６号公報
【発明の開示】
【発明が解決しようとする課題】
【０００３】
しかし、上記従来のＤＶＤプレーヤでＤＶＤから字幕付きの動画再生をさせるには、動画ファイルが格納されたＤＶＤ上のディレクトリ内に、本体部が動画ファイルのファイル名の本体部と同一であるファイル名をもつ字幕ファイルが記録されている必要があった。なお、ファイル名は、本体部とピリオドと拡張子からなる。例えば、動画ファイルのファイル名がMovie_32.avi（Movie_32が本体部、aviが拡張子）である場合、動画ファイルが格納されたディレクトリ内に、Movie_32.srt（srtは字幕ファイル用拡張子の一つ）というファイル名の字幕ファイルが記録されている必要があった。
【０００４】
そのため、ユーザが誤って、動画ファイルが格納されたディレクトリ内に動画ファイルとファイル名の本体部が異なるファイル名の字幕ファイルを記録したり、動画ファイルが格納されたディレクトリ内と異なるディレクトリ内に字幕ファイルを記録した場合、上記ＤＶＤプレーヤでは字幕付き動画再生ができなかった。また、ユーザがＤＶＤに動画ファイルを記録し、別途ＵＳＢメモリ等に字幕ファイルを保存したような場合も、上記ＤＶＤプレーヤでは字幕付き動画再生ができなかった。
【０００５】
そして、上記ＤＶＤプレーヤで字幕付き動画再生ができるよう、上記条件を満たす新たなＤＶＤを作成し直したり、動画ファイルが格納されたディレクトリ内に上記条件を満たすファイル名の字幕ファイルを追記するような手間がかかってしまい、字幕ファイル機能の利便性が低かった。
【０００６】
上記問題点を鑑み、本発明は、字幕ファイル機能の利便性を向上させた光ディスク再生装置を提供することを目的とする。
【課題を解決するための手段】
【０００７】
上記目的を達成するために本発明の光ディスク再生装置は、動画ファイルが格納された光ディスク上のディレクトリ内で、本体部が前記動画ファイルのファイル名の本体部と同一であるファイル名をもつ字幕ファイルを検索し、もし該字幕ファイルが検索された場合、該字幕ファイルおよび前記動画ファイルに基づき字幕付き動画再生を行うような光ディスク再生装置において、
もし前記字幕ファイルが検索されなかった場合、前記光ディスクと少なくとも一つの外部記憶手段とのうち少なくとも一つにおいて、拡張子が字幕ファイル用拡張子であるファイル名をもつファイルを検索する検索手段と、
該検索手段が検索したファイルの少なくとも一つおよび前記動画ファイルに基づき字幕付き動画再生を行う再生手段と、
を備えることを特徴とする。
【０００８】
このような構成によれば、ユーザが誤って、前述した従来の条件を満足しない動画ファイルおよび字幕ファイルが記録された光ディスクを作成した場合でも、ユーザは字幕付きの動画を鑑賞できる。また、ユーザが光ディスクに動画ファイルを記録し、別途ＵＳＢメモリ等の外部記憶手段に字幕ファイルを保存したような場合でも、ユーザは字幕付きの動画を鑑賞できる。従って、従来のように新たな光ディスクを作成し直したり、字幕ファイルを光ディスクに追記したりする手間が必要なくなり、字幕ファイル機能の利便性が向上する。
【０００９】
また、本発明の光ディスク再生装置は、上記構成において、前記検索手段が検索したファイルのファイル名を表示手段に表示させるための信号を生成する信号生成手段を備え、
前記表示手段に表示されたファイル名のうち操作手段により選択されたファイル名のファイルおよび前記動画ファイルに基づき前記再生手段は字幕付き動画再生を行う、
ことを特徴とする。
【００１０】
また、本発明の光ディスク再生装置は、上記構成において、前記検索手段は、もし前記字幕ファイルが検索されなかった場合、前記光ディスクと前記少なくとも一つの外部記憶手段とのうち少なくとも一つにおける拡張子が字幕ファイル用拡張子であるファイル名をもつファイルの検索を開始し、該検索途中で最初にファイルを検索すると検索を中止し、
前記再生手段は、前記検索手段が検索した前記ファイルおよび前記動画ファイルに基づき字幕付き動画再生を行う、
ことを特徴とする。
【００１１】
また、本発明の光ディスク再生装置は、上記構成において、設定手段により設定された設定情報に基づき、前記検索手段は検索したりしなかったりすることを特徴とする。
【発明の効果】
【００１２】
本発明の光ディスク再生装置によれば、字幕ファイル機能の利便性が向上する。
【発明を実施するための最良の形態】
【００１３】
本発明の実施形態について以下図面を参照して説明する。図１に、本発明に係るＤＶＤプレーヤのブロック図を示す。
【００１４】
ディスク読取部１は、光ピックアップ、スピンドルモータ、スレッドモータ、ヘッドアンプ、各種ドライバを有し、制御部２の制御によりＤＶＤから情報を読み取り制御部２に送出する。制御部２は、ディスク読取部１から入力される情報に復調および誤り訂正を行い再生情報を生成する。そして、制御部２は、再生情報のうちの圧縮画像情報を画像処理部３に送出し、再生情報のうちの圧縮音声情報を音声処理部４に送出する。
【００１５】
画像処理部３は、制御部２から入力される圧縮画像情報を伸長して画像情報を生成する。また、画像処理部３は、制御部２からの指示により図形情報や文字情報を生成し、上記画像情報と合成してビデオ信号を生成し、ＤＶＤプレーヤに接続された不図示のテレビ等の表示装置に送出する。なお、画像処理部３は、図形情報や文字情報のみからビデオ信号を生成し表示装置に送出することも行う。音声処理部４は、制御部２から入力される圧縮音声情報を伸長してアナログ音声信号に変換し、不図示の表示装置に送出する。
【００１６】
フラッシュメモリ５は、制御部２用の制御プログラムや各種設定情報が記憶される不揮発性メモリである。ＤＲＡＭ６は、制御部２のワークメモリである。ＵＳＢインターフェイス７は、不図示のＵＳＢメモリが接続されるインターフェイスである。リモコン受信部８は、不図示のリモコンから赤外線信号を受信しコード信号を制御部２に送出する。
【００１７】
このような構成の本発明に係るＤＶＤプレーヤの特徴的な動作について以下説明する。
【００１８】
まず、不図示のリモコンが有するセットアップメニュー表示キーが押されると、制御部２は画像処理部３に図形情報および文字情報を作成するよう指示し、画像処理部３から出力されるビデオ信号により不図示の表示装置に図２（ａ）のようなセットアップメニュー画面が表示される。ここでは、各種の設定項目がリスト表示され、このうち「字幕ファイル検索機能設定」にリモコンが有する矢印キーの操作により選択枠が移動され、リモコンが有する決定キーが押されると、制御部２は画像処理部３に図形情報および文字情報を作成するよう指示し、画像処理部３から出力されるビデオ信号により表示装置に図２（ｂ）のような画面が表示される。
【００１９】
ここでは、字幕ファイル検索機能を有効にするか無効にするかの項目が表示される。ここで、リモコンが有する矢印キーの操作によりいずれかの項目に選択枠が移動され、リモコンが有する決定キーが押されると、制御部２は、字幕ファイル検索機能が有効または無効であることを示す設定情報をフラッシュメモリ５に記憶させ、画像処理部３に図形情報および文字情報を作成するよう指示し、画像処理部３から出力されるビデオ信号により表示装置には再び図２（ａ）のようなセットアップメニュー画面が表示される。ここでフラッシュメモリ５に記憶された設定情報が後述する動画ファイル再生時の動作に反映される。
【００２０】
次に、動画ファイル再生時の動作について以下説明する。
【００２１】
まず、リモコンが有するメインメニュー表示キーが押されると、制御部２は画像処理部３に図形情報および文字情報を作成するよう指示し、画像処理部３から出力されるビデオ信号により表示装置にメインメニュー画面が表示される。表示されるメインメニュー画面のうち、動画ファイル再生の項目がリモコン操作により選択されると、制御部２は、ディスク読取部１を用いてＤＶＤに記録された動画ファイルを検索し、検索された動画ファイルのファイル名を表示装置に表示させるよう画像処理部３に指示する。画像処理部３は制御部２からの指示により図形情報および文字情報を生成しビデオ信号を表示装置に送出し、表示装置には上記検索された動画ファイルのファイル名がリスト表示される。
【００２２】
ここで、いずれかの動画ファイルのファイル名がリモコン操作により選択されると、図３に示すフローチャートの動作に進む。以下、該フローチャートに沿って説明する。
【００２３】
まず、ステップＳ３０で、制御部２は、ディスク読取部１を用いて、上記で選択されたファイル名の動画ファイルが格納されているＤＶＤ上のディレクトリ内の、本体部が動画ファイルのファイル名の本体部と同一であるファイル名をもつ字幕ファイルを検索する。
【００２４】
そして、上記ステップＳ３０で検索されたファイルがあれば（ステップＳ３１のＹ）、制御部２は該ファイルをＤＲＡＭ６に記憶させ、ディスク読取部１がＤＶＤから読み取った上記で選択されたファイル名の動画ファイルに基づく圧縮画像情報を画像処理部３に送出し、画像処理部３は、圧縮画像情報を伸長し画像情報を生成し、上記ＤＲＡＭ６に記憶されたファイルを読み出して文字情報を生成し、画像情報と文字情報とを合成してビデオ信号を生成し表示装置に送出する。すると、表示装置には、動画に字幕が重畳されて表示される（ステップＳ３７）。
【００２５】
また、上記ステップＳ３０で検索されたファイルがなければ（ステップＳ３１のＮ）、ステップＳ３２に進み、制御部２は、前述したフラッシュメモリ５に記憶された設定情報を参照し、字幕ファイル検索機能が有効であるか無効であるかを判断する。もし、字幕ファイル検索機能が無効であれば（ステップＳ３２のＮ）、制御部２は、ディスク読取部１がＤＶＤから読み取った上記で選択されたファイル名の動画ファイルに基づく圧縮画像情報を画像処理部３に送出し、画像処理部３は、圧縮画像情報を伸長し画像情報を生成しビデオ信号を表示装置に送出する。すると、表示装置には、字幕なしで動画が表示される（ステップＳ３８）。
【００２６】
そしてもし、字幕ファイル検索機能が有効であれば（ステップＳ３２のＹ）、ステップＳ３３に進み、制御部２は、画像処理部３に図形情報および文字情報を作成するよう指示し、画像処理部３から出力されるビデオ信号により表示装置に図４（ａ）のような字幕ファイルを検索するか否かをユーザに選択させるダイアログが表示される。
【００２７】
ここで、リモコンが有する矢印キーの操作により「はい」に選択枠が移動させ、リモコンが有する決定キーが押されると、後述するステップＳ３４に進む。また、同様に「いいえ」が選択されると、上記ステップＳ３８に進み、表示装置には字幕なしで動画が表示される。
【００２８】
ステップＳ３４で、制御部２は、ディスク読取部１を用いて、ＤＶＤに記録され、拡張子が字幕ファイル用拡張子であるファイル名をもつファイルを検索する。また、制御部２は、ＵＳＢインターフェイス７に接続された不図示のＵＳＢメモリに記憶され、拡張子が字幕ファイル用拡張子であるファイル名をもつファイルも検索する。
【００２９】
そして、上記ステップＳ３４で検索されたファイルがもしあれば（ステップＳ３５のＹ）、後述するステップＳ３６に進み、もしなければ（ステップＳ３５のＮ）、ステップＳ３８に進み、表示装置には字幕なしで動画が表示される。
【００３０】
ステップＳ３６で、制御部２は、検索されたファイルのファイル名を表示装置に表示させるよう画像処理部３に指示する。画像処理部３は制御部２からの指示により図形情報および文字情報を生成しビデオ信号を表示装置に送出し、表示装置には図４（ｂ）のような検索結果画面が表示される。ここでは、検索されたファイル名と字幕なしでの再生を示す項目とがリスト表示される。
【００３１】
ここで、リモコンが有する矢印キーの操作によりいずれかのファイル名に選択枠が移動され、リモコンが有する決定キーが押されると、ＤＶＤまたはＵＳＢメモリから読み出された上記選択されたファイル名のファイルを制御部２がＤＲＡＭ６に記憶させる。そして、制御部２は、ディスク読取部１がＤＶＤから読み取った上記で選択されたファイル名の動画ファイルに基づく圧縮画像情報を画像処理部３に送出し、画像処理部３は、圧縮画像情報を伸長し画像情報を生成し、上記ＤＲＡＭ６に記憶されたファイルを読み出して文字情報を生成し、画像情報と文字情報とを合成してビデオ信号を生成し表示装置に送出する。すると、表示装置には、動画に字幕が重畳されて表示される（ステップＳ３７）。
【００３２】
また、上記ステップＳ３６において、字幕なしでの再生を示す項目がリモコン操作により選択されると、ステップＳ３８に進み、表示装置には字幕なしで動画が表示される。
【００３３】
これにより、ユーザが、動画ファイルが格納されたＤＶＤ上のディレクトリ内に、従来必要であった本体部が動画ファイルのファイル名の本体部と同一であるファイル名をもつ字幕ファイルを記録せず、上記ディレクトリ内に本体部が動画ファイルのファイル名の本体部と異なるファイル名をもつ字幕ファイルを記録した場合や、上記ディレクトリと異なるディレクトリ内に本体部が動画ファイルのファイル名の本体部と同一または異なるファイル名をもつ字幕ファイルを記録した場合でも、その字幕ファイルが検索されファイル名が表示され、ユーザがファイル名を選択すれば、字幕ファイルに基づいた字幕付きの動画再生が行われる。また、ユーザがＤＶＤには動画ファイルのみ記録しておき、ＵＳＢメモリに別途字幕ファイルを保存したような場合でも、その字幕ファイルが検索されファイル名が表示され、ユーザがファイル名を選択すれば、字幕ファイルに基づいた字幕付きの動画再生が行われる。
【００３４】
従って、従来のように、新たなＤＶＤに動画と字幕ファイルを記録し直したり、動画ファイルが格納されたディレクトリ内に字幕ファイルを追記したりするような手間がなくなり、字幕ファイル機能の利便性が向上する。
【００３５】
また、前述のように、表示装置に動画ファイルのファイル名がリスト表示されている状態で、いずれかの動画ファイルのファイル名がリモコン操作により選択されると、図５に示すフローチャートの動作に進むようにしてもよい。以下、該フローチャートに沿って説明する。
【００３６】
図５において、ステップＳ５０〜Ｓ５３の動作は、前述した図３におけるステップＳ３０〜Ｓ３３と同様である。
【００３７】
ステップＳ５３で、表示装置に図４（ａ）のような字幕ファイルを検索するか否かをユーザに選択させるダイアログが表示される。ここで、リモコンが有する矢印キーの操作により「はい」に選択枠が移動させ、リモコンが有する決定キーが押されると、後述するステップＳ５４に進む。また、同様に「いいえ」が選択されると、ステップＳ５９に進み、表示装置には字幕なしで動画が表示される。
【００３８】
ステップＳ５４で、制御部２は、ディスク読取部１を用いて、ＤＶＤに記録され、拡張子が字幕ファイル用拡張子であるファイル名をもつファイルを検索開始する。
【００３９】
そして、最初にファイルが検索されると（ステップＳ５５のＹ）、制御部２は検索を中止し、ＤＶＤから読み出された上記検索されたファイルをＤＲＡＭ６に記憶させる。そして、制御部２は、ディスク読取部１がＤＶＤから読み取った上記で選択されたファイル名の動画ファイルに基づく圧縮画像情報を画像処理部３に送出し、画像処理部３は、圧縮画像情報を伸長し画像情報を生成し、上記ＤＲＡＭ６に記憶されたファイルを読み出して文字情報を生成し、画像情報と文字情報とを合成してビデオ信号を生成し表示装置に送出する。すると、表示装置には、動画に字幕が重畳されて表示される（ステップＳ５８）。
【００４０】
また、上記ステップＳ５４でＤＶＤにおける検索を開始し、検索されたファイルがＤＶＤになければ（ステップＳ５５のＮ）、ステップＳ５６に進み、制御部２は、ＵＳＢインターフェイス７に接続された不図示のＵＳＢメモリに記憶され、拡張子が字幕ファイル用拡張子であるファイル名をもつファイルを検索開始する。
【００４１】
そして、最初にファイルが検索されると（ステップＳ５７のＹ）、制御部２は検索を中止し、ＵＳＢメモリから読み出された上記検索されたファイルをＤＲＡＭ６に記憶させる。そして、制御部２は、ディスク読取部１がＤＶＤから読み取った上記で選択されたファイル名の動画ファイルに基づく圧縮画像情報を画像処理部３に送出し、画像処理部３は、圧縮画像情報を伸長し画像情報を生成し、上記ＤＲＡＭ６に記憶されたファイルを読み出して文字情報を生成し、画像情報と文字情報とを合成してビデオ信号を生成し表示装置に送出する。すると、表示装置には、動画に字幕が重畳されて表示される（ステップＳ５８）。
【００４２】
また、上記ステップＳ５６でＵＳＢメモリにおける検索を開始し、検索されたファイルがＵＳＢメモリになければ（ステップＳ５７のＮ）、ステップＳ５９で、表示装置には字幕なしで動画が表示される。
【００４３】
これにより、ユーザが、動画ファイルが格納されたＤＶＤ上のディレクトリ内に、従来必要であった本体部が動画ファイルのファイル名の本体部と同一であるファイル名をもつ字幕ファイルを記録せず、上記ディレクトリ内に本体部が動画ファイルのファイル名の本体部と異なるファイル名をもつ字幕ファイルを記録した場合や、上記ディレクトリと異なるディレクトリ内に本体部が動画ファイルのファイル名の本体部と同一または異なるファイル名をもつ字幕ファイルを記録した場合でも、その字幕ファイルが検索され、自動的にその字幕ファイルに基づいた字幕付きの動画再生が行われる。また、ユーザがＤＶＤには動画ファイルのみ記録しておき、ＵＳＢメモリに別途字幕ファイルを保存したような場合でも、その字幕ファイルが検索され、自動的にその字幕ファイルに基づいた字幕付きの動画再生が行われる。
【００４４】
従って、本構成によっても、従来のように新たなＤＶＤに動画と字幕ファイルを記録し直したり、動画ファイルが格納されたディレクトリ内に字幕ファイルを追記したりするような手間がなくなり、字幕ファイル機能の利便性が向上する。
【００４５】
なお、上記ステップＳ３４（図３）およびステップＳ５４、Ｓ５６（図５）においては、本体部が動画ファイルのファイル名の本体部と同一で拡張子が字幕ファイル用拡張子であるファイル名をもつファイルを検索するようにしてもよい。これにより、動画ファイルが格納されたディレクトリと異なるＤＶＤ上のディレクトリ内やＵＳＢメモリに上記ファイル名をもつ字幕ファイルをユーザが記録した場合でも、この字幕ファイルに基づいた字幕付きの動画再生が行える。
【００４６】
また、以上の実施形態においてＵＳＢインターフェイスの代わりにメモリカードインターフェイスを設け、メモリカードインターフェイスに接続されるメモリカード内のファイルを検索するようにしてもよい。また、ＵＳＢインターフェイスに加えてメモリカードインターフェイスを設け、ＵＳＢメモリ内およびメモリカード内のファイルを検索するようにしてもよい。
【図面の簡単な説明】
【００４７】
【図１】は、本発明に係るＤＶＤプレーヤのブロック図である。
【図２】は、字幕ファイル検索機能設定についての表示画面を示す図である。
【図３】は、本発明に係るＤＶＤプレーヤの動画ファイル再生時の動作手順例を示すフローチャートである。
【図４】は、動画ファイル再生時における表示画面を示す図である。
【図５】は、本発明に係るＤＶＤプレーヤの動画ファイル再生時の別の動作手順例を示すフローチャートである。
【符号の説明】
【００４８】
１    ディスク読取部
２    制御部
３    画像処理部
４    音声処理部
５    フラッシュメモリ
６    ＤＲＡＭ
７    ＵＳＢインターフェイス
８    リモコン受信部
【図１】
2007310953.tif 000003
【図２】
2007310953.tif 000004
【図３】
2007310953.tif 000005
【図４】
2007310953.tif 000006
【図５】
2007310953.tif 000007